(57)【特許請求の範囲】
【請求項１】
前面に形成された開口が扉体により開閉され、かつ内部に商品収容庫が画成された直方状の自動販売機本体と、
前記商品収容庫に設けられ、かつ投入された商品を上下方向に沿って収納するものであり、販売指令が与えられた場合には最下位の商品を払い出す商品収納装置と、
前記商品収容庫に設けられ、自身の周囲を通過する空気を冷却若しくは加熱することにより該商品収容庫の内部空気を所望の温度状態に調整する温度調整手段と、
前記商品収容庫の背面における該商品収容庫の底部から前記商品収納装置の中間高さ位置まで延設され、上端部に第１上端開口が形成されるとともに下端部に第１下端開口が形成された第１背面ダクトと、
前記第１背面ダクトの前記第１下端開口近傍に配設され、駆動することにより前記商品収容庫の内部空気を前記第１上端開口から第１背面ダクトに進入させ、かつ該第１背面ダクトを通過した空気を前記第１下端開口から吹き出させて前記温度調整手段の周囲を通過させるようにして前記商品収納装置の下方から上方に向けて空気を循環させる下方庫内送風ファンと
を備えた自動販売機において、
前記商品収容庫の背面に該商品収容庫の底部から天井部まで延設され、上端部に第２上端開口が形成されるとともに下端部に第２下端開口が形成された第２背面ダクトと、
前記第２背面ダクトの前記第２上端開口近傍に配設され、駆動することにより前記温度調整手段の周囲を通過した前記商品収容庫の内部空気を前記第２下端開口から第２背面ダクトに進入させ、かつ該第２背面ダクトを通過した空気を前記第２上端開口から吹き出させるようにして前記商品収納装置の上方から下方に向けて空気を循環させる上方庫内送風ファンと
を備えたことを特徴とする自動販売機。
【請求項２】
前記第２背面ダクトは、前記第２上端開口及び前記第２下端開口がそれぞれ複数設けられており、互いに隣接する第２上端開口の間に、一方の第２下端開口から進入した空気の風路と、他方の第２下端開口から進入した空気の風路とを仕切る仕切板が配設されていることを特徴とする請求項１に記載の自動販売機。
【請求項３】
前記商品収納装置の下方域の温度を検出する下方域温度検出手段と、
前記商品収納装置の上方域の温度を検出する上方域温度検出手段と、
前記上方域温度検出手段を通じて検出された上方域温度が予め設定された第１上方基準温度を下回る場合には、前記上方庫内送風ファンを駆動停止にさせる一方、前記上方域温度が予め設定された第２上方基準温度を上回る場合には、前記上方庫内送風ファンを駆動させ、かつ前記下方域温度検出手段を通じて検出された下方域温度が予め設定された第１下方基準温度を下回り、かつ前記上方庫内送風ファンが停止状態にある場合には、前記下方庫内送風ファンを駆動停止にさせる一方、前記上方庫内送風ファンが駆動状態にある場合、または前記下方域温度が予め設定された第２下方基準温度を上回る場合には、前記下方庫内送風ファンを駆動させ、上方または下方庫内送風ファンが稼動する間は冷凍機を稼動させる制御手段と
を備えたことを特徴とする請求項１又は請求項２に記載の自動販売機。
【請求項４】
前記制御手段は、前記下方庫内送風ファンを駆動させる場合には、回転数を間欠的に変化させることを特徴とする請求項３に記載の自動販売機。
【発明の詳細な説明】
【技術分野】
【０００１】
本発明は、例えば缶入り飲料やペットボトル入り飲料等の商品を販売する自動販売機に関するものである。
【背景技術】
【０００２】
従来、例えば缶入り飲料やペットボトル入り飲料等の商品を販売する自動販売機は、自動販売機本体である本体キャビネットを備えている。本体キャビネットは、前面が開口した直方状の断熱筐体として形成されたものである。この本体キャビネットには、その前面に外扉と内扉とが設けられており、その内部に商品収容庫が設けられている。外扉は、本体キャビネットの前面開口を開閉するためのものである。内扉は、商品収容庫の前面を開閉するためのものである。商品収容庫は断熱構造を有しており、その内部に商品収納装置及び背面ダクトが設けられている。
【０００３】
商品収納装置は投入された商品を上下方向に沿って収納するもので、販売指令が与えられた場合に最下位の商品を払い出すものである。商品収納装置から払い出された商品は、外扉に設けられた商品取出口を通じて取り出し可能な状態になる。
【０００４】
背面ダクトは、商品収容庫の背面に設けられており、商品収納装置の上方域に対応した個所に上方開口が設けられ、商品収納装置の下部に対応した個所に下方開口が設けられている。そして、更に上方開口と下方開口との中間部分に中間開口が設けられている。上方開口の前方には上方庫内送風ファンが設けられ、下方開口の前方には下方庫内送風ファンが設けられており、中間開口の前方には中間庫内送風ファンが設けられている。また、背面ダクトには蒸発器が設けられている。蒸発器は、商品収容庫の外部に設けられた圧縮機や凝縮器等と冷凍サイクルを構成するものであり、自身の周囲空気を冷却する冷却手段である。
【０００５】
このような自動販売機においては、商品収納装置に収納された商品全体を冷却する場合には、上方庫内送風ファンを駆動させる。これにより背面ダクトの下部の導入口を通じて該背面ダクトに導入された空気は、蒸発器で冷却されて上方開口から吹き出される。吹き出された空気は、下方に向けて商品収納装置を通過することで該商品収納装置に収納された商品を冷却し、その後に再び導入口を通じて背面ダクトに導入されて循環する。そして、商品収納装置の中間部より下方に収納された商品を冷却する場合には、中間庫内送風ファンを駆動させる。これにより導入口を通じて背面ダクトに導入された空気は、蒸発器で冷却されて中間開口から吹き出される。吹き出された空気は、下方に向けて商品収納装置の中間部を通過することで該商品収納装置の下部に収納された商品を冷却し、その後に再び導入口を通じて背面ダクトに導入されて循環する。更に、商品収納装置の下部に収納された商品を冷却する場合には、下方庫内送風ファンを駆動させる。これにより導入口を通じて背面ダクトに導入された空気は、蒸発器で冷却されて下方開口から吹き出される。吹き出された空気は、下方に向けて商品収納装置の下部を通過することで該商品収納装置の下部に収納された商品を冷却し、その後に再び導入口を通じて背面ダクトに導入されて循環する（例えば、特許文献１参照）。
【先行技術文献】
【特許文献】
【０００６】
【特許文献１】特開２０００−３３９５３１号公報
【発明の概要】
【発明が解決しようとする課題】
【０００７】
ところで、上述したような自動販売機においては、例えば夏季等における電力需要の高い時間帯での消費電力量の低減化を図るべく、かかる時間帯においては商品を冷却する機器を駆動停止にさせる保冷運転を行うものが知られている。特に近年においては、電力需給の逼迫により保冷運転時間の長大化が要請されつつある。
【０００８】
上述した特許文献１には明示されていないが、上記自動販売機で保冷運転を行う場合には、該保冷運転を行う前に、上方庫内送風ファンを駆動させて商品収納装置に収納された商品を十分に冷やす冷やし込み運転が行われることになる。この冷やし込み運転が行われることにより、商品収納装置の商品全体が十分に冷却され、特に商品収納装置の上部側商品の方が下部側商品よりも冷却されるものと考えられる。冷やし込み運転後に保冷運転が行われると、商品収納装置の下部側商品は、上部側商品により冷却された冷気によって所望の冷却温度帯に保持されるが、上部側商品の温度は徐々に上昇していくことになる。この保冷運転に要する時間が長大化すると、商品収納装置において冷却温度帯に保持されるのは下部の僅かな商品となり、上方に向かうに連れて商品の温度が漸次高くなる。
【０００９】
そして、保冷運転が完了した後、保冷運転時に駆動停止させていた機器を駆動させるとともに上方庫内送風ファンを駆動させて商品収納装置の商品を冷却する冷却回復運転が行われることになるが、商品収納装置の商品は上方開口から吹き出される空気により上部側から徐々に冷却されることになり、商品収納装置の下部側商品は冷却されずに徐々に温度が上昇してしまうことになる。特に背面ダクトに複数の庫内送風ファンが設けられている場合において上方庫内送風ファンのみを駆動させると、上方開口から吹き出された空気の一部は商品収納装置自体、あるいは収納された商品に当たって下方に向けて流れ、駆動停止中の庫内送風ファン（中間庫内送風ファン及び下方庫内送風ファン）を通じて中間開口及び下方開口から背面ダクトの内部に吸引されてしまういわゆるショートカット流れが生じてしまい、商品収納装置の下部側商品に対する気流制御が困難なものとなっていた。
【００１０】
そのため商品収納装置の下流側商品は冷却温度帯を超えてしまい、該下部側商品を所望の冷却温度まで冷却するのに時間を要し、結果的に商品の販売機会を逸脱する虞れがあった。このような商品の販売機会を逸脱する虞れは、保冷運転時間に要する時間が長大化すればするほど顕著なものとなる。
【００１１】
本発明は、上記実情に鑑みて、商品の保冷運転時間の長大化を図りつつ、商品の販売機会を逸脱する虞れがない自動販売機を提供することを目的とする。
【課題を解決するための手段】
【００１２】
上記目的を達成するために、本発明の請求項１に係る自動販売機は、前面に形成された開口が扉体により開閉され、かつ内部に商品収容庫が画成された直方状の自動販売機本体と、前記商品収容庫に設けられ、かつ投入された商品を上下方向に沿って収納するものであり、販売指令が与えられた場合には最下位の商品を払い出す商品収納装置と、前記商品収容庫に設けられ、自身の周囲を通過する空気を冷却若しくは加熱することにより該商品収容庫の内部空気を所望の温度状態に調整する温度調整手段と、前記商品収容庫の背面における該商品収容庫の底部から前記商品収納装置の中間高さ位置まで延設され、上端部に第１上端開口が形成されるとともに下端部に第１下端開口が形成された第１背面ダクトと、前記第１背面ダクトの前記第１下端開口近傍に配設され、駆動することにより前記商品収容庫の内部空気を前記第１上端開口から第１背面ダクトに進入させ、かつ該第１背面ダクトを通過した空気を前記第１下端開口から吹き出させて前記温度調整手段の周囲を通過させるようにして前記商品収納装置の下方から上方に向けて空気を循環させる下方庫内送風ファンとを備えた自動販売機において、前記商品収容庫の背面に該商品収容庫の底部から天井部まで延設され、上端部に第２上端開口が形成されるとともに下端部に第２下端開口が形成された第２背面ダクトと、前記第２背面ダクトの前記第２上端開口近傍に配設され、駆動することにより前記温度調整手段の周囲を通過した前記商品収容庫の内部空気を前記第２下端開口から第２背面ダクトに進入させ、かつ該第２背面ダクトを通過した空気を前記第２上端開口から吹き出させるようにして前記商品収納装置の上方から下方に向けて空気を循環させる上方庫内送風ファンとを備えたことを特徴とする。
【００１３】
また、本発明の請求項２に係る自動販売機は、上述した請求項１において、前記第２背面ダクトは、前記第２上端開口及び前記第２下端開口がそれぞれ複数設けられており、互いに隣接する第２上端開口の間に、一方の第２下端開口から進入した空気の風路と、他方の第２下端開口から進入した空気の風路とを仕切る仕切板が配設されていることを特徴とする。
【００１４】
また、本発明の請求項３に係る自動販売機は、上述した請求項１又は請求項２において、前記商品収納装置の下方域の温度を検出する下方域温度検出手段と、前記商品収納装置の上方域の温度を検出する上方域温度検出手段と、前記上方域温度検出手段を通じて検出された上方域温度が予め設定された第１上方基準温度を下回る場合には、前記上方庫内送風ファンを駆動停止にさせる一方、前記上方域温度が予め設定された第２上方基準温度を上回る場合には、前記上方庫内送風ファンを駆動させ、かつ前記下方域温度検出手段を通じて検出された下方域温度が予め設定された第１下方基準温度を下回り、かつ前記上方庫内送風ファンが停止状態にある場合には、前記下方庫内送風ファンを駆動停止にさせる一方、前記上方庫内送風ファンが駆動状態にある場合、または前記下方域温度が予め設定された第２下方基準温度を上回る場合には、前記下方庫内送風ファンを駆動させ、上方または下方庫内送風ファンが稼動する間は冷凍機を稼動させる制御手段とを備えたことを特徴とする。
【００１５】
また、本発明の請求項４に係る自動販売機は、上述した請求項３において、前記制御手段は、前記下方庫内送風ファンを駆動させる場合には、回転数を間欠的に変化させることを特徴とする。
【発明の効果】
【００１６】
本発明の自動販売機によれば、第１背面ダクトの第１下端開口近傍に配設された下方庫内送風ファンが駆動することにより商品収容庫の内部空気を第１上端開口から第１背面ダクトに進入させ、かつ該第１背面ダクトを通過した空気を第１下端開口から吹き出させて温度調整手段の周囲を通過させるようにして商品収納装置の下方から上方に向けて空気を循環させるので、機器の駆動を停止させる保冷運転直後の冷却運転であっても次期販売商品を含む商品収納装置の下部側商品を良好に冷却することができる。そのため、これら下部側商品が好適な冷却温度帯から外れてしまうことを防止でき、販売機会の逸脱を回避することができる。また、第２背面ダクトの第２上端開口近傍に配設された上方庫内送風ファンが駆動することにより温度調整手段の周囲を通過した商品収容庫の内部空気を第２下端開口から第２背面ダクトに進入させ、かつ該第２背面ダクトを通過した空気を第２上端開口から吹き出させるようにして商品収納装置の上方から下方に向けて空気を循環させるので、商品収納装置に収納された商品全体を冷却することができる。そのため、その後に保冷運転に移行しても、次期販売商品を含む商品収納装置の下部側商品を、該商品収納装置の上部側商品により冷却されて下方に向けて流れる冷気により冷却することができる。特に、最下位の商品を払い出すような商品収納装置においては、最も冷却された状態にある最上位商品を冷熱源として最後まで商品収容庫の内部に残すことができるため、かかる最上位商品を有効活用して他の商品を冷却することができる。この結果、保冷運転に要する時間の長大化を図ることができる。従って、商品の保冷運転時間の長大化を図ることができ、しかも商品の販売機会を逸脱する虞れがないという効果を奏する。
【図面の簡単な説明】
【００１７】
【図１】図１は、本発明の実施の形態である自動販売機を示す断面側面図である。
【図２】図２は、図１に示した自動販売機を構成する背面ダクトを示す斜視図である。
【図３】図３は、本発明の実施の形態である自動販売機の特徴的な制御系を模式的に示すブロック図である。
【図４】図４は、本発明の実施の形態である自動販売機を示す断面側面図である。
【図５】図５は、本発明の実施の形態である自動販売機を示す断面側面図である。
【図６】図６は、本発明の実施の形態である自動販売機を示す断面側面図である。
【図７】図７は、図３に示した制御手段が冷却運転時に実施する冷却運転駆動処理の処理内容を示すフローチャートである。
【図８】図８は、図７に示した冷却運転駆動処理における下方庫内送風ファン駆動処理の処理内容を示すフローチャートである。
【図９】図９は、図７に示した冷却運転駆動処理における上方庫内送風ファン駆動処理の処理内容を示すフローチャートである。
【発明を実施するための形態】
【００１８】
以下に添付図面を参照して、本発明に係る自動販売機の好適な実施の形態について詳細に説明する。
【００１９】
図１は、本発明の実施の形態である自動販売機を示す断面側面図である。ここで例示する自動販売機は、例えば缶入り飲料やペットボトル入り飲料等の商品を冷却、若しくは加熱した状態で販売するもので、自動販売機本体である本体キャビネット１を備えている。
【００２０】
本体キャビネット１は、複数の金属板を適宜組み合わせることによって構成されたもので、前面が開口した直方体状に構成されている。この本体キャビネット１には、その内部に前面が開口した断熱構造の商品収容庫２が設けられている。本実施の形態では、本体キャビネット１の内面に予め板状に成形された断熱ボードが配設されることにより、これら断熱ボードによって囲まれる空間に商品収容庫２が構成されるようにしている。断熱ボードは、図には明示していないが、発泡ウレタン等の断熱材によって成形した板状部材の表裏両面にそれぞれ面材として樹脂フィルムやクラフト紙を貼着したものである。
【００２１】
この商品収容庫２には、商品収納装置である商品収納ラック３が配設されている。商品収納ラック３は、一対のラック側板３ａの間に通路形成部材３ｂが配設されることによって上下方向に沿って延在する蛇行状の商品収納域３ｃが構成されたものであって、商品収納域３ｃに商品を収納する一方、商品販売指令が与えられた場合には最下位に位置するものから商品の払い出しを行うものである。本実施の形態では、複数の商品収納域３ｃを有した商品収納ラック３が前後に配設されるようにしている。
【００２２】
また、商品収容庫２には、商品シュータ４、第１背面ダクト１０及び第２背面ダクト２０が設けられている。商品シュータ４は、商品収納ラック３の下方域に設けられている。この商品シュータ４は、多数の通気孔を有した平板状部材であり、商品収容庫２の後方から前方に向けて漸次低くなる態様で傾斜して配設されている。
【００２３】
第１背面ダクト１０は、商品収容庫２における背面に設けられた導風路である。図２は、図１に示した自動販売機を構成する第１背面ダクト１０及び第２背面ダクト２０を示す斜視図である。この図２にも示すように、第１背面ダクト１０は、上下方向に沿って延在するものであり、商品収容庫２の底部から商品収納ラック３の中間高さ位置まで延在するよう設けられている。
【００２４】
この第１背面ダクト１０においては、商品シュータ４よりも下方側となる部位、すなわち下端部に第１下端開口１１が設けられているとともに、商品収納ラック３の中間高さ位置に相当する部位、すなわち上端部に第１上端開口１２が設けられている。
【００２５】
また、この第１背面ダクト１０においては、第１下端開口１１の前方側に蒸発器５ａを介して下方庫内送風ファンＦ１が設けられている。下方庫内送風ファンＦ１は、後述する制御手段３０からの駆動指令に応じて駆動することで商品収容庫２の内部空気（内部雰囲気）を循環させる循環手段である。
【００２６】
上記商品シュータ４の下方域においては、上記蒸発器５ａとともにヒータ（図示せず）が設けられている。蒸発器５ａは、下方庫内送風ファンＦ１の後方側に配設されており、商品収容庫２の下部の機械室６に配置された圧縮機５ｂ、凝縮器５ｃ及び膨張機構（図示せず）とともに冷却ユニット５を構成する冷却手段である。ヒータは、下方庫内送風ファンＦ１の前方側の風洞内に設けられており、通電状態となる場合に発熱する加熱手段である。
【００２７】
第２背面ダクト２０は、商品収容庫２における背面に第１背面ダクト１０とは別個に設けられた導風路である。この第２背面ダクト２０は、上下方向に沿って延在するものであり、商品収容庫２の底部から天井部まで延在するよう設けられている。より詳細には、第２背面ダクト２０は、第１背面ダクト１０の両側域を上下方向に沿って延在するとともに、該第１背面ダクト１０の上方域を上下方向に沿って延在するものである。
【００２８】
この第２背面ダクト２０においては、下方庫内送風ファンＦ１の両側域となる部位、すなわち下端部に第２下端開口２１がそれぞれ設けられているとともに、商品収納ラック３に収納される商品よりも上方側となる部位、すなわち上端部に複数（図示の例では２つ）の第２上端開口２２が設けられている。
【００２９】
また、この第２背面ダクト２０においては、それぞれの第２上端開口２２の前方側に上方庫内送風ファンＦ２が設けられている。上方庫内送風ファンＦ２は、後述する制御手段３０からの駆動指令に応じて駆動することで商品収容庫２の内部空気（内部雰囲気）を循環させる循環手段である。
【００３０】
更に、この第２背面ダクト２０においては、仕切板２３が設けられている。仕切板２３は、互いに隣接する第２上端開口２２の間にあって、一方の第２上端開口２２から一の第２下端開口２１までの風路と、他方の第２上端開口２２から他の下端開口２１までの風路との全長あるいは一部を仕切り、隣接する上方庫内送風ファンＦ２同士の気流干渉を抑制するものである。
【００３１】
一方、上記自動販売機には、内扉７及び外扉（扉体）８が設けられている。内扉７は、商品収容庫２の前面開口を覆うためのもので、本体キャビネット１の一側縁部に開閉可能に配設された断熱構造を有するものである。この内扉７には商品搬出口７ａが設けられている。商品搬出口７ａは、商品搬出扉７ｂにより開閉されるものである。
【００３２】
外扉８は、本体キャビネット１の前面開口を覆うためのもので、内扉７よりも前方側となる位置において、本体キャビネット１の一側縁部に開閉可能に配設されている。外扉８の前面には、商品を販売する際に必要となるディスプレイウィンドウ８ａや商品取出口８ｂが設けられているとともに、図には明示しないが、商品選択ボタン、紙幣挿通口、硬貨投入口、返却レバー、金額表示器、硬貨返却口等が設けられている。ここで商品取出口８ｂは、商品取出扉８ｃにより開閉されるものである。
【００３３】
図３は、本発明の実施の形態である自動販売機の特徴的な制御系を模式的に示すブロック図である。この図３に示すように、本実施の形態の自動販売機は、上方域温度センサＳ１、下方域温度センサＳ２及び制御手段３０を備えている。
【００３４】
上方域温度センサＳ１は、商品収容庫２の上方域、より詳細には上方庫内送風ファンＦ２の近傍の温度（上方域温度）を検出する温度検出手段である。この上方域温度センサＳ１は、上方域温度を検出した場合には、制御手段３０に対して検出信号としてその旨を送出する。
【００３５】
下方域温度センサＳ２は、商品収容庫２の下方域、より詳細には下方庫内送風ファンＦ１の近傍の温度（下方域温度）を検出する温度検出手段である。この下方域温度センサＳ２は、下方域温度を検出した場合には、制御手段３０に対して検出信号としてその旨を送出する。
【００３６】
制御手段３０は、メモリ３１に予め格納されているプログラムやデータにしたがって圧縮機５ｂや、下方庫内送風ファンＦ１及び上方庫内送風ファンＦ２の駆動を制御するものであり、運転設定部３０１、入力処理部３０２、判断部３０３、圧縮機駆動処理部３０４及びファン駆動処理部３０５を備えて構成されている。尚、この制御手段３０は、自動販売機の金銭処理や販売動作を制御する制御部と一体的に構成されるものであってもよいし、この制御部から独立した形態で構成されるものであっても構わない。
【００３７】
また、メモリ３１には、種々の情報が記憶されており、本発明に関連するものとしては、下方庫内送風ファン駆動条件情報及び上方庫内送風ファン駆動条件情報が記憶されている。下方庫内送風ファン駆動条件情報は、下方庫内送風ファンＦ１の駆動停止及び駆動開始の閾値である第１下方基準温度及び第２下方基準温度が含まれている。第１下方基準温度は、所望の温度範囲の下限値であり、第２下方基準温度は該温度範囲の上限値である。上方庫内送風ファン駆動条件情報は、上方庫内送風ファンＦ２の駆動停止及び駆動開始の閾値である第１上方基準温度及び第２上方基準温度が含まれている。第１上方基準温度は、所望の温度範囲の下限値であり、第２上方基準温度は該温度範囲の上限値である。そして、本実施の形態においては、第１上方基準温度は、第１下方基準温度よりも低く、かつ第２上方基準温度は、第２下方基準温度よりも低いことが好ましい。
【００３８】
運転設定部３０１は、図示せぬ入力手段を通じて入力された運転情報を設定し、かつ記憶するものである。より詳細には、予め設定された冷却運転開始時刻を経過した場合には、冷却運転を行うようにし、かかる冷却運転を行っている最中に予め設定された保冷運転開始時刻を経過したときには、保冷運転を行うようにする。つまり、自動販売機は、予め設定されたタイムスケジュールに従って、冷却運転及び保冷運転を行うようにしてこれを繰り返すことになる。尚、商品補充等が行われた場合には、プルダウン運転が所定時間行われてその後に冷却運転に移行する。
【００３９】
入力処理部３０２は、上方域温度センサＳ１及び下方域温度センサＳ２から与えられる検出信号を入力処理するものである。判断部３０３は、冷却運転を行う場合に、入力処理部３０２を通じて入力処理された温度（上方域温度若しくは下方域温度）と、メモリ３１から読み出した基準温度（閾値）とを比較して商品収容庫２の庫内温度状態を判断するものである。
【００４０】
圧縮機駆動処理部３０４は、圧縮機５ｂに対して駆動指令、あるいは駆動停止指令を与えて圧縮機５ｂの駆動処理を行うものである。この圧縮機駆動処理部３０４は、下方庫内送風ファンＦ１及び上方庫内送風ファンＦ２が駆動している場合には、圧縮機５ｂを駆動させるものである。
【００４１】
ファン駆動処理部３０５は、下方庫内送風ファンＦ１に駆動指令若しくは駆動停止指令を与えて下方庫内送風ファンＦ１の駆動処理を行うとともに、上方庫内送風ファンＦ２に駆動指令若しくは駆動停止指令を与えて上方庫内送風ファンＦ２の駆動処理を行うものである。
【００４２】
以上のような構成を有する自動販売機においては、冷却運転時に制御手段３０が下方庫内送風ファンＦ１を駆動させる場合には、商品収納ラック３に収納された商品は次のようにして冷却される。前提として、制御手段３０の圧縮機駆動処理部３０４により圧縮機５ｂが駆動しているものとする。
【００４３】
このように下方庫内送風ファンＦ１を駆動させると、図４に示すように、商品収容庫２の内部空気は、第１上端開口１２から第１背面ダクト１０の内部に進入し、第１背面ダクト１０を通過した後に第１下端開口１１から吹き出されて商品収納ラック３を下方から上方に向けて通過して循環することになる。つまり、蒸発器５ａで冷却された内部空気は、商品収納ラック３を通過して該商品収納ラック３に収納された商品を冷却する。この場合には、商品収納ラック３に収納された商品全体のうち、次の販売機会に払い出される可能性のある次期販売商品を含む下部側商品を所望の温度に冷却することができる。
【００４４】
次に、冷却運転時に制御手段３０が上方庫内送風ファンＦ２を駆動させる場合には、商品収納ラック３に収納された商品は次のようにして冷却される。前提として、制御手段３０の圧縮機駆動処理部３０４により圧縮機５ｂが駆動しているものとする。
【００４５】
このように上方庫内送風ファンＦ２を駆動させると、図５に示すように、商品収容庫２の内部空気は、第２下端開口２１から第２背面ダクト２０の内部に進入し、第２背面ダクト２０を通過した後に第２上端開口２２から吹き出されて商品収納ラック３に収納された商品を通過して循環することになる。つまり、蒸発器５ａで冷却された内部空気のうち、商品シュータ４の下方域に滞留する内部空気は、第２背面ダクト２０を通過した後に、第２上端開口２２から吹き出されて商品収納ラック３を通過して該商品収納ラック３に収納された商品を冷却する。この場合には、商品収納ラック３に収納された商品全体が所望の温度状態に冷却され、下部側商品よりも上部側商品の方がより冷却されている。
【００４６】
一方、冷却運転時に制御手段３０が下方庫内送風ファンＦ１及び上方庫内送風ファンＦ２を駆動させる場合には、商品収納ラック３に収納された商品は次のようにして冷却される。前提として、制御手段３０の圧縮機駆動処理部３０４により圧縮機５ｂが駆動しているものとする。
【００４７】
このように下方庫内送風ファンＦ１及び上方庫内送風ファンＦ２を駆動させると、図６に示すように、商品収容庫２の内部空気は、第１上端開口１２から第１背面ダクト１０の内部に進入し、第１背面ダクト１０を通過した後に第１下端開口１１から吹き出されて蒸発器５ａで冷却され、商品収納ラック３を下方から上方に向けて通過する。また、蒸発器５ａで冷却された内部空気のうち商品シュータ４の下方域に滞留する内部空気は、第２下端開口２１から第２背面ダクト２０の内部に進入し、第２背面ダクト２０を通過した後に第２上端開口２２から吹き出されて商品収納ラック３に収納された商品を通過して第１上端開口１２から第１背面ダクト１０に進入して循環することになる。この場合には、商品収納ラック３に収納された商品全体が所望の温度状態に冷却されている。
【００４８】
図７は、制御手段３０が冷却運転時に実施する冷却運転駆動処理の処理内容を示すフローチャートである。かかる冷却運転駆動処理の処理内容を説明しながら、自動販売機が冷却運転を行う場合について説明する。尚、前提として、予め設定された冷却運転開始時刻を経過しており、圧縮機５ｂが駆動しているものとする。
【００４９】
冷却運転駆動処理において制御手段３０は、入力処理部３０２を通じて下方域温度センサＳ２より与えられた検出信号を入力処理することで下方域温度を入力した場合（ステップＳ１０１：Ｙｅｓ）、下方庫内送風ファン駆動処理を行う（ステップＳ２００）。
【００５０】
図８は、図７に示した冷却運転駆動処理における下方庫内送風ファン駆動処理の処理内容を示すフローチャートである。
【００５１】
この下方庫内送風ファン駆動処理において制御手段３０は、下方庫内送風ファンＦ１が駆動している場合（ステップＳ２０１：Ｙｅｓ）、判断部３０３を通じてメモリ３１より第１下方基準温度を読み出して、検出された下方域温度が第１下方基準温度を下回っているか否かを判断する（ステップＳ２０２）。
【００５２】
下方域温度が第１下方基準温度を下回っている場合（ステップＳ２０２：Ｙｅｓ）、制御手段３０は、ファン駆動処理部３０５を通じて下方庫内送風ファンＦ１に駆動停止指令を与えて下方庫内送風ファンＦ１の駆動を停止させ（ステップＳ２０３）、その後に手順をリターンさせて今回の下方庫内送風ファン駆動処理を終了することで冷却運転駆動処理を終了する。これによれば、商品収納ラック３の下部側商品（次期販売商品）が過度に冷却されてしまうことを防止でき、好ましい温度にて次の販売機会に提供可能なものとすることができる。尚、上述したステップＳ２０２からステップＳ２０３への移行については、上方庫内送風ファンＦ２の駆動停止を条件にしてもよい。
【００５３】
下方域温度が第１下方基準温度以上となる場合（ステップＳ２０２：Ｎｏ）、制御手段３０は、下方庫内送風ファンＦ１の駆動を維持させ（ステップＳ２０４）、その後に手順をリターンさせて今回の下方庫内送風ファン駆動処理を終了することで冷却運転駆動処理を終了する。これによれば、商品収納ラック３の下部側商品（次期販売商品）の温度は、低下する方向に推移することになる。
【００５４】
一方、下方庫内送風ファンＦ１が駆動していない場合（ステップＳ２０１：Ｎｏ）、判断部３０３を通じてメモリ３１より第２下方基準温度を読み出して、検出された下方域温度が第２下方基準温度を上回っているか否かを判断する（ステップＳ２０５）。
【００５５】
下方域温度が第２下方基準温度を上回っている場合（ステップＳ２０５：Ｙｅｓ）、制御手段３０は、ファン駆動処理部３０５を通じて下方庫内送風ファンＦ１に駆動指令を与えて下方庫内送風ファンＦ１を駆動させ（ステップＳ２０６）、その後に手順をリターンさせて今回の下方庫内送風ファン駆動処理を終了することで冷却運転駆動処理を終了する。これによれば、商品収納ラック３の下部側商品の温度は、低下する方向に推移することになる。
【００５６】
下方庫内送風ファンＦ１が駆動していないで、かつ下方域温度が第２下方基準温度以下となる場合（ステップＳ２０１：Ｎｏ，ステップＳ２０５：Ｎｏ）、制御手段３０は、庫内送風ファンの駆動停止を維持させ（ステップＳ２０７）、その後に手順をリターンさせて今回の下方庫内送風ファン駆動処理を終了することで冷却運転駆動処理を終了する。尚、上述した下方庫内送風ファン駆動処理においては、上方庫内送風ファンＦ２が駆動していることを条件に、下方庫内送風ファンＦ１を駆動させてもよい。
【００５７】
上記冷却運転駆動処理において制御手段３０は、入力処理部３０２を通じて上方域温度センサＳ１より与えられた検出信号を入力処理することで上方域温度を入力した場合（ステップＳ１０１：Ｎｏ，ステップＳ１０２：Ｙｅｓ）、上方庫内送風ファン駆動処理を行う（ステップＳ３００）。
【００５８】
図９は、図７に示した冷却運転駆動処理における上方庫内送風ファン駆動処理の処理内容を示すフローチャートである。
【００５９】
この上方庫内送風ファン駆動処理において制御手段３０は、上方庫内送風ファンＦ２が駆動している場合（ステップＳ３０１：Ｙｅｓ）、判断部３０３を通じてメモリ３１より第１上方基準温度を読み出して検出された上方域温度が第１上方基準温度を下回っているか否かを判断する（ステップＳ３０２）。
【００６０】
上方域温度が第１上方基準温度を下回っている場合（ステップＳ３０２：Ｙｅｓ）、制御手段３０は、ファン駆動処理部３０５を通じて上方庫内送風ファンＦ２に駆動停止指令を与えて上方庫内送風ファンＦ２の駆動を停止させ（ステップＳ３０３）、その後に手順をリターンさせて今回の上方庫内送風ファン駆動処理を終了することで冷却運転駆動処理を終了する。これによれば、商品収納ラック３の上部側商品が必要以上に冷却されてしまうことを防止でき、過剰な冷却運転による消費電力の増大化を抑制することができる。
【００６１】
上方域温度が第１上方基準温度以上となる場合（ステップＳ３０２：Ｎｏ）、制御手段３０は、上方庫内送風ファンＦ２の駆動を維持させ（ステップＳ３０４）、その後に手順をリターンさせて今回の上方庫内送風ファン駆動処理を終了することで冷却運転駆動処理を終了する。これによれば、商品収納ラック３に収納された商品の温度は、低下する方向に推移することになる。
【００６２】
一方、上方庫内送風ファンＦ２が駆動していない場合（ステップＳ３０１：Ｎｏ）、判断部３０３を通じてメモリ３１より第２上方基準温度を読み出して検出された上方域温度が第２上方基準温度を上回っているか否かを判断する（ステップＳ３０５）。
【００６３】
上方域温度が第２上方基準温度を上回っている場合（ステップＳ３０５：Ｙｅｓ）、制御手段３０は、ファン駆動処理部３０５を通じて上方庫内送風ファンＦ２に駆動指令を与えて上方庫内送風ファンＦ２を駆動させ（ステップＳ３０６）、その後に手順をリターンさせて今回の上方庫内送風ファン駆動処理を終了することで冷却運転駆動処理を終了する。これによれば、商品収納ラック３の商品の温度は、低下する方向に推移することになる。
【００６４】
上方庫内送風ファンＦ２が駆動していないで、かつ上方域温度が第２上方基準温度以下となる場合（ステップＳ３０１：Ｎｏ，ステップＳ３０５：Ｎｏ）、制御手段３０は、庫内送風ファンの駆動停止を維持させ（ステップＳ３０７）、その後に手順をリターンさせて今回の上方庫内送風ファン駆動処理を終了することで冷却運転駆動処理を終了する。
【００６５】
このような冷却運転を行っている最中に、予め設定された保冷運転開始時刻に達すると、自動販売機は冷却運転から保冷運転に移行する。
【００６６】
保冷運転を行う場合には、制御手段３０は、圧縮機駆動処理部３０４を通じて圧縮機５ｂを駆動停止にさせながら、ファン駆動処理部３０５を通じて下方庫内送風ファンＦ１及び上方庫内送風ファンＦ２を駆動停止にさせる。
【００６７】
これにより、商品収容庫２の内部空気は庫内を循環することもなく、また蒸発器５ａにより冷却されることもない。この保冷運転では、商品収納ラック３の下部側商品は、上部側商品により冷却された冷気が下方に流れることで冷却状態が保持されることになる。
【００６８】
以上説明したように、本発明の実施の形態である自動販売機においては、冷却運転を行う場合に、制御手段３０が下方庫内送風ファンＦ１を駆動若しくは駆動停止にさせることで下方域温度を第１下方温度以上第２下方温度以下にすることができるので、保冷運転直後の冷却運転であっても次期販売商品を含む商品収納ラック３の下部側商品を良好に冷却することができる。そのため、これら下部側商品が好適な冷却温度帯から外れてしまうことを防止でき、販売機会の逸脱を回避することができる。また、制御手段３０が上方域温度に応じて上方庫内送風ファンＦ２を駆動させることで、蒸発器５ａにより冷却された内部空気を第２下端開口２１から第２背面ダクト２０に進入させて第２上端開口２２から吹き出させるよう商品収容庫２の内部で循環させることができ、これにより商品収納ラック３に収納された商品全体を冷却することができる。そのため、その後に保冷運転に移行しても、次期販売商品を含む商品収納ラック３の下部側商品を、該商品収納ラック３の上部側商品により冷却されて下方に向けて流れる冷気により冷却することができる。特に、最下位の商品を払い出すような本実施の形態の自動販売機においては、最も冷却された状態にある最上位商品を冷熱源として最後まで商品収容庫２２の内部に残すことができるため、かかる最上位商品を有効活用して他の商品を冷却することができる。この結果、保冷運転に要する時間の長大化を図ることができる。
【００６９】
従って、本実施の形態である自動販売機によれば、商品の保冷運転時間の長大化を図ることができ、しかも商品の販売機会を逸脱する虞れがない。
【００７０】
特に本発明の実施の形態である自動販売機においては、第１上方基準温度は、第１下方基準温度よりも低く、かつ第２上方基準温度は、第２下方基準温度よりも低くしてあるので、商品収納ラック３の上部側商品を冷却することができ、かかる上部側商品を冷熱源とすることで商品の保冷運転時間の長大化を更に図ることができ、この結果、消費電力の低減化を図ることができる。
【００７１】
また、上記自動販売機によれば、下方庫内送風ファンＦ１及び上方庫内送風ファンＦ２を一方向にしか回転させないので、ファンを正転駆動及び逆転駆動させる場合に比べて、正逆回転両用ファンブレードが存在しないことに起因する風量減少が生ずることを防止でき、良好な風量制御により商品収納ラック３に収納された商品を冷却することができる。
【００７２】
更に、上記自動販売機によれば、仕切板２３が互いに隣接する第２上端開口２２の間に一方の第２上端開口２２から一の第２下端開口２１までの風路と、他方の第２上端開口２２から他の第２下端開口２１までの風路とを仕切るので、各風路を通過する空気の風量の均一化を図ることができる。
【００７３】
以上本発明の好適な実施の形態について説明したが、本発明これに限られるものではなく種々の変更を行うことができる。
【００７４】
上述した実施の形態においては、下方庫内送風ファンＦ１の駆動停止及び駆動開始の閾値として第１下方基準温度及び第２下方基準温度を用い、上方庫内送風ファンＦ２の駆動停止及び駆動開始の閾値として第１上方基準温度及び第２上方基準温度を用いていたが、本発明においては、下方庫内送風ファンＦ１及び上方庫内送風ファンＦ２の駆動停止及び駆動開始の閾値は１つであってもよいし、かかる閾値を用いずに下方庫内送風ファンＦ１と上方庫内送風ファンＦ２とを駆動させてもよい。
【００７５】
上述した実施の形態においては、商品を冷却する蒸発器５ａを温度調整手段の一例として説明したが、ヒータを温度調整手段の一例とする場合には、制御手段３０は、上方庫内送風ファンＦ２の駆動を停止させて下方庫内送風ファンＦ１のみを駆動させればよい。これにより、商品収納ラック３における次期販売商品を含む下部側商品を所望の温度に加熱することができる。
【００７６】
上述した実施の形態においては、制御手段３０は、下方庫内送風ファンＦ１を駆動させる場合には所定の回転数で駆動させていたが、本発明においては、下方庫内送風ファンを駆動させる場合には、回転数を間欠的に変化させるようにしても良い。これにより、消費電力の低減化を図ることができる。
【産業上の利用可能性】
【００７７】
以上のように、本発明に係る自動販売機は、例えば缶入り飲料やペットボトル入り飲料等の商品を販売するのに有用である。
【符号の説明】
【００７８】
１  本体キャビネット
２  商品収容庫
３  商品収納ラック
５ａ  蒸発器
７  内扉
８  外扉
８ａ  商品取出口
１０  第１背面ダクト
１１  第１下端開口
１２  第２上端開口
２０  第２背面ダクト
２１  第２下端開口
２２  第２上端開口
２３  仕切板
３０  制御手段
３０１  運転設定部
３０２  入力処理部
３０３  判断部
３０４  圧縮機駆動処理部
３０５  ファン駆動処理部
３１  メモリ
Ｆ１  下方庫内送風ファン
Ｆ２  上方庫内送風ファン
Ｓ１  上方域温度センサ
Ｓ２  下方域温度センサ
【図１】
0005900055.tif 000002
【図２】
0005900055.tif 000003
【図３】
0005900055.tif 000004
【図４】
0005900055.tif 000005
【図５】
0005900055.tif 000006
【図６】
0005900055.tif 000007
【図７】
0005900055.tif 000008
【図８】
0005900055.tif 000009
【図９】
0005900055.tif 000010